(57)【要約】【課題】扉用ロックハンドル装置において、ディスクタンブラ式シリンダー錠との置き換えが容易に行える交換用サイドバー式シリンダー錠を提供する。【解決手段】ハンドル３または固定本体２にディスクタンブラ式シリンダー錠６のロータ７が収容される錠収容部５を形成する。錠収容部５の内周面にディスクタンブラ１０の係止端部１１が係脱する２個の錠止溝１２を形成する。サイドバー式シリンダー錠１７のプラグ１８の外周直径を錠収容部５の内周直径と符合させる。前記錠止溝１２に係脱するサイドバー２４の山形錠止部２９の根元部の外周輪郭を、錠収容部５の錠止溝１２の開口部の内周輪郭にほぼ符合する断面形状に形成する。【選択図】図７
2006132107.tif 000002
【特許請求の範囲】
【請求項１】
扉１に固定される固定本体２にハンドル３が装備され、ハンドル３の操作によってハンドル３に連動装備したロック機構４が駆動されて、扉１が固定枠体４４に対して閉鎖位置に錠止され、ハンドル３または固定本体２に設けた錠収容部５にディスクタンブラ式シリンダー錠６のロータ７が収容され、鍵挿入孔８に交差するタンブラ収容孔９をロータ７に形成し、タンブラ収容孔９に収容したディスクタンブラ１０の係止端部１１が係脱する２個の錠止溝１２を錠収容部５の内周面に直径上に対向させて形成し、固定本体２に対してハンドル３を錠止する止め金板１３をロータ７に連動装備し、鍵挿入孔８に挿入した鍵１４の鍵山部１５によってディスクタンブラ１０をタンブラ用バネ１６の付勢に抗して後退させることによって、ディスクタンブラ１０の係止端部１１を錠収容部５の錠止溝１２から脱出させ、ロータ７を解錠方向に回して止め金板１３によるハンドル３の拘束を解除するようにした扉用ロックハンドル装置において、ディスクタンブラ式シリンダー錠６と交換して使用されるサイドバー式シリンダー錠１７であって、
プラグ１８の外周直径を錠収容部５の内周直径と符合させてプラグ１８を形成し、プラグ１８に２個のサイドバー収容孔１９をプラグ１８のキー挿入孔２０と平行に配置して直径上に対向して設け、サイドバー収容孔１９に関してキー挿入孔２０と反対側の区域において２列のピン収容孔２１をキー挿入孔２０に交差させてプラグ１８に設け、サイドバー収容孔１９の底壁部２２にピン収容孔２１に連通するスリット２３を設け、サイドバー収容孔１９に収容した２個のサイドバー２４の基端プレート部２５をスリット２３に嵌め入れ、サイドバー２４のアンダーカット部２６したサイドバー用バネ２７によって、サイドバー２４を突出方向に付勢し、キー挿入孔２０からキー２８を抜取った状態において、サイドバー２４の山形錠止部２９を錠収容部５の錠止溝１２に係合させ、ピン収容孔２１に収容した２列のロックピン３０をロックピン用バネ３１によってキー挿入孔２０の方向に付勢して、ロックピン３０の先端部をキー挿入孔２０内に突出させ、キー２８側面のコード用凹部３２にロックピン３０の先端部が係合したとき、ロックピン３０の中間部周面のコード用溝３２が前記スリット２３に連通し、プラグ１８の回転操作時に錠止溝１２の内壁面に押されてサイドバー２４がプラグ１８内に押し込まれるとき、サイドバー２４の基端プレート部２５がロックピン３０のコード用溝３３に逃げ込むように形成されており、サイドバー２４の山形錠止部２９の根元部の外周輪郭を、錠収容部５の錠止溝１２の開口部の内周輪郭にほぼ符合する断面形状に形成してなる、扉用ロックハンドル装置の交換用サイドバー式シリンダー錠。
【発明の詳細な説明】
【技術分野】
【０００１】
本発明は、各種の機器収納用筐体等の扉に装備される扉用ロックハンドル装置において、ディスクタンブラ型錠機構をサイドバー型錠機構に転換するために使用される交換用サイドバー式シリンダー錠に関するものである。
【背景技術】
【０００２】
扉用ロックハンドル装置では、扉の閉鎖施錠後におけるハンドル操作を禁止するために、ハンドルまたは固定本体に錠前ユニットを組み込み、固定本体に対してハンドルを錠止することが行われている。この錠前ユニットとしては、安価に量産されているディスクタンブラ式シリンダー錠が一般に使用されている（特許文献１参照）。
【０００３】
このディスクタンブラ式シリンダー錠を組み込んだ扉用ロックハンドル装置では、ハンドルまたは固定本体に設けた錠収容部にディスクタンブラ式シリンダー錠のロータが収容され、鍵挿入孔に交差するタンブラ収容孔が前記ロータに形成され、前記タンブラ収容孔に収容したディスクタンブラの係止端部を受け入れる２個の錠止溝が前記錠収容部の内周面に直径上に対向させて形成され、固定本体に対してハンドルを錠止する止め金板が前記ロータに連動装備され、前記鍵挿入孔に挿入した鍵の鍵山部によって前記ディスクタンブラをタンブラ用バネの付勢に抗して後退させることによって、ディスクタンブラの前記係止端部を錠収容部の前記錠止溝から脱出させ、前記鍵でロータを解錠方向に回して前記止め金板による前記ハンドルの拘束を解除するように構成されている。
【０００４】
前記筐体内に格納された機器類の不正な操作や収容物品の窃取狙う者には、特殊なピッキング用具によって前記ディスクタンブラを解錠位置に移動させることによって不正解錠する者がいる。このような不正解錠を抑制する対策としては、ディスクタンブラ型錠機構を格段にセキュリティ性能に優れたサイドバー型錠機構（特許文献１参照）に置き換えることが考えられる。錠収容部を含めてハンドルまたは固定本体を新規に設計製作する場合には、錠機構の置き換えは容易に行なえるが、既存の扉用ロックハンドル装置において錠機構を入れ換えることは容易ではない。
【０００５】
その理由は、単体として使用される場合においては、ディスクタンブラ式シリンダー錠の内筒は外筒に嵌合された状態にあるため、錠全体の外周輪郭はサイドバー式シリンダー錠と同様に円筒形であるが、扉用ロックハンドル装置に組み込んで使用される場合には、ディスクタンブラ式シリンダー錠の外筒部分はハンドルまたは固定本体の錠収容部によって構成されており、この錠収容部の内周面にディスクタンブラの係止端部が係脱する錠止溝を設けているため、外筒直径が前記錠収容部の内周直径と符合するように製作されたサイドバー式シリンダー錠を前記錠収容部に装着したときには、前記錠止溝の一部が隙間としてハンドルまたは固定本体の正面に露出してしまうからである。これでは外観上不体裁であるだけでなく、外筒と錠収容部間の隙間に工具を差し込まれて、錠を穿り出される不都合があり、実用に耐えないものとなる。
【０００６】
他方、サイドバー式シリンダー錠から外筒を除去してプラグだけとし、プラグの外周直径を前記錠収容部の内周直径に符合させたとしても、サイドバー式シリンダー錠におけるサイドバーの錠止部の幅方向寸法が、ディスクタンブラ式シリンダー錠におけるディスタンブラの係止端部の幅方向寸法よりも格段に小さいものとなっているため、サイドバーの錠止部を前記錠収容部の錠止溝に係合させたとき、両者間に相当に広い隙間が発生してしまい、プラグの回転拘束を所定位置にて的確に実行することができなくなってしまう不都合がある。
【０００７】
【特許文献１】特開２００１−７３５９７号公報
【特許文献２】特開２０００−３１４２５０号公報
【発明の開示】
【発明が解決しようとする課題】
【０００８】
本発明の課題は、既存の扉用ロックハンドル装置のディスクタンブラ型錠機構を何らの不都合なくサイドバー型錠機構に容易に置き換えられる交換用サイドバー式シリンダー錠を提供することである。
【課題を解決するための手段】
【０００９】
以下、添付図面中の参照符号を用いて説明すると、本発明の交換用サイドバー式シリンダー錠１７は、扉１に固定される固定本体２にハンドル３が装備され、ハンドル３の操作によってハンドル３に連動装備したロック機構４が駆動されて、扉１が固定枠体４４に対して閉鎖位置に錠止され、ハンドル３または固定本体２に設けた錠収容部５にディスクタンブラ式シリンダー錠６のロータ７が収容され、鍵挿入孔８に交差するタンブラ収容孔９をロータ７に形成し、タンブラ収容孔９に収容したディスクタンブラ１０の係止端部１１が係脱する２個の錠止溝１２を錠収容部５の内周面に直径上に対向させて形成し、固定本体２に対してハンドル３を錠止する止め金板１３をロータ７に連動装備し、鍵挿入孔８に挿入した鍵１４の鍵山部１５によってディスクタンブラ１０をタンブラ用バネ１６の付勢に抗して後退させることによって、ディスクタンブラ１０の係止端部１１を錠収容部５の錠止溝１２から脱出させ、ロータ７を解錠方向に回して止め金板１３によるハンドル３の拘束を解除するようにした扉用ロックハンドル装置において、ディスクタンブラ式シリンダー錠６と交換して使用されるものであって、
プラグ１８の外周直径を錠収容部５の内周直径と符合させてプラグ１８を形成し、プラグ１８に２個のサイドバー収容孔１９をプラグ１８のキー挿入孔２０と平行に配置して直径上に対向して設け、サイドバー収容孔１９に関してキー挿入孔２０と反対側の区域において２列のピン収容孔２１をキー挿入孔２０に交差させてプラグ１８に設け、サイドバー収容孔１９の底壁部２２にピン収容孔２１に連通するスリット２３を設け、サイドバー収容孔１９に収容した２個のサイドバー２４の基端プレート部２５をスリット２３に嵌め入れ、サイドバー２４のアンダーカット部２６したサイドバー用バネ２７によって、サイドバー２４を突出方向に付勢し、キー挿入孔２０からキー２８を抜取った状態において、サイドバー２４の山形錠止部２９を錠収容部５の錠止溝１２に係合させ、ピン収容孔２１に収容した２列のロックピン３０をロックピン用バネ３１によってキー挿入孔２０の方向に付勢して、ロックピン３０の先端部をキー挿入孔２０内に突出させ、キー２８側面のコード用凹部３２にロックピン３０の先端部が係合したとき、ロックピン３０の中間部周面のコード用溝３２が前記スリット２３に連通し、プラグ１８の回転操作時に錠止溝１２の内壁面に押されてサイドバー２４がプラグ１８内に押し込まれるとき、サイドバー２４の基端プレート部２５がロックピン３０のコード用溝３３に逃げ込むように形成されており、サイドバー２４の山形錠止部２９の根元部の外周輪郭を、錠収容部５の錠止溝１２の開口部の内周輪郭にほぼ符合する断面形状に形成してなる。
【発明の効果】
【００１０】
以上のように本発明の交換用サイドバー式シリンダー錠１７では、プラグ１６の外周直径が錠収容部５の内周直径と符合するようにプラグ１８を形成し、２個のサイドバー収容孔１９をキー挿入孔２０と平行に配置して直径上に対向してプラグ１８に設け、サイドバーサイドバー２４のアンダーカット部２６に収容したサイドバー用バネ２７によってサイドバー２４を突出方向に付勢して、サイドバー２４の山形錠止部２９を錠収容部５の錠止溝１２に係合させ、該山形錠止部２９の根元部の外周輪郭を該錠止溝１２の開口部の内周輪郭にほぼ符合する断面形状に形成してあるため、既存の扉用ロックハンドル装置の錠収容部５からディスクタンブラ式シリンダー錠６のロータ７を抜取った後、サイドバー式シリンダー錠１７のプラグ１８当該錠収容部５に挿入したとき、錠収容部５それ自体はプラグ１８によってほぼ隙間なしに埋め合わせられるので、錠機構を置き換えたにも拘わらず、ハンドル３や固定本体２の正面に不体裁な隙間を露出させることがなく、また、当該隙間から工具を差し込まれてサイドバー式シリンダー錠を穿り取られる危険性がない。
【００１１】
また、プラグ１８のキー挿入孔２０からキー２８を抜き取ると、サイドバーバネ２７の付勢を受けてサイドバー２４の山形錠止部２９が錠収容部５の錠止溝１２に係合するのであるが、この山形錠止部２９の根元部の外周輪郭が錠収容部５の錠止溝１２の開口部の内周輪郭にほぼ符合する断面形状に形成されているため、山形錠止部２９の根元部外面と錠止溝１２の開口部内面との間に無用な隙間が発生することがなく、プラグ１８の回転拘束を所定の角度位置にて的確に実行することができる。
【実施例】
【００１２】
図示の実施例では、扉用ロックハンドル装置の固定本体２は、主体部分を扉１の取付孔３４に正面側から嵌め込んで、前面鍔部３５を扉１の前面に突き当て、背面側から固定本体２の主体部分に嵌めた断面Ｕ字形の座金板３６を扉１の背面に突き当て、座金板３６の透孔３７からビス３８を固定本体２の背面壁部の固着孔３９にねじ込むことによって、扉１に締付け固着されている。
【００１３】
ロック機構４として、固定本体２の基端部に前後方向に突出形成した軸受筒部４０には、ボルト６９によって後端部にロック板４８を固着した主軸４１が回転可能に嵌挿されている。主軸４１の前端部はハンドル３の基端部の背面空所４２に挿入され、横断枢軸４３によってハンドル３と主軸４１が連結されている。
ハンドル３を横断枢軸４３の周りに固定本体２から斜めに突出回転させ、ハンドル３を握って主軸４１を所定方向に回転操作すると、ロック板４８が固定枠体４４側の受金部(図示していない)から離脱するため、固定枠体４４に対する扉１の締付け施錠が解除され、扉１はハンドル３を手前に引くことによって開放される。
【００１４】
錠機構を置き換える前の錠前ユニットとしては公知のディスクタンブラ式シリンダー錠６が外筒無しの状態で使用されている。ハンドル３の先端部の肉厚部に形成した錠収容部５には、シリンダー錠６のロータ７が回転可能に収容され、ロータ７の先端部外周にバネ付勢して装備した公知の抜止め用爪板４５を錠収容部５の内周面の抜止め溝４６に係合させることによって、ロータ７は錠収容部５からの抜取りを阻止されている。
【００１５】
ハンドル３の前記肉厚部には止め金版１３のガイド孔４９が縦長に形成されており、ロータ７の先端面に突設された偏心突起４７は止め金板１３の受動孔５０に挿入されている。鍵１４をロータ７の鍵挿入孔８に挿入すると、鍵１４の鍵山部１５がディスクタンブラ１０の鍵挿通孔５３の縁部を押すため、ディスクタンブラ１０の係止端部１１は一方の錠止溝１２に出入りし、ディスクタンブラ１０の基端部は他方の錠止溝１２に出入りする。圧縮コイルバネよりなるタンブラ用バネ１６の付勢に抗して、全てのディスクタンブラ１０がロータ７のタンブラ収容孔９内に引き込まれると、ディスクタンブラ１０の係止端部１１が錠収容部５の錠止溝１２から脱出するため、ハンドル３に対するロータ７の回転拘束が解除される。
【００１６】
この段階で鍵１４を所定方向に回すと、止め金版１３が偏心突起４７に牽引されてガイド孔４９側に引き込まれ、止め金版１３の先端部が固定本体２の背面壁部の受溝部５１から脱出するため、ハンドル３は板バネ部材５２の付勢によって固定本体２のハンドル収容部５８から斜めに突出回転する。この突出回転したハンドル３を握って主軸部４１の周りに回すことによって、前記ロック板４８が固定枠体４４の受金部から離脱し、固定枠体４４に対する扉１の締付け施錠が解除される。
【００１７】
ディスクタンブラ式シリンダー錠６をサイドバー式シリンダー錠１７に入れ換えるに当たっては、ロータ７の鍵挿入孔８鍵１４を挿入して全てのディスクタンブラ１０をタンブラ収容孔９内に没入させた状態で、適宜の治具により抜止め用爪板４５を無効化位置に押し込み、ロータ７をハンドル３の錠収容部５から抜き取る。
【００１８】
サイドバー式シリンダー錠１７のプラグ１８は、外周面に突出している一対のサイドバー２４の山形錠止部２９を錠収容部５の一対の錠止溝１２に位置合わせして、前記錠収容部５に嵌め入れる。プラグ１８の先端部外周溝７０には、バネ６９で付勢された公知の抜止め用爪板５４が装備されており、該爪板５４を錠収容部５の内周面の抜止め溝４６に係合させることによって、錠収容部５からのプラグ１８の抜取りを阻止する。プラグ１８の先端面の偏心突起５５は、止め金版１３の受動孔５０に嵌められる。
【００１９】
サイドバー収容孔１９の外周側開口縁部は内向きに加締め加工され、この加締め部６１によってサイドバー２４はサイドバー収容孔１９からの抜脱を阻止されている。ロックピン用バネ３１の基端が当接するバネ押え板６２は、加締め加工によってプラグ１８に固定されている。
プラグ１８のキー挿入孔２０に所定の深さのコード用凹部３２が２列に形成された正規のキー２８を挿入すると、２列のロックピン３０が圧縮コイルバネよりなるロックピン用バネ３１の付勢に抗して２列のピン収容孔２１内を押され、各ロックピン３０のコード用溝３３がピン収容孔２１とサイドバー収容孔１９間のスリット２３に対面する位置に来る。
【００２０】
この状態においてキー２８によってプラグ１８に回転力を与えると、２列のサイドバー２４の山形錠止部２９の斜面が錠収容部５の錠止溝１２の開口縁部に押されるため、各サイドバー２４は圧縮コイルバネよりなるサイドバー用バネ２７の付勢に抗して求心方向に移動し、スリット２３に係合していた各サイドバー２４の基端プレート部２５が各ロックピン３０のコード用溝３３に入り込む。
【００２１】
このように基端プレート部２５がコード用溝３３に逃げ込むことによって、サイドバー２４の山形錠止部２９が前記錠止溝１２から完全に脱出してプラグ１８の外周面内に没入するので、プラグ１８はハンドル３に対して回転する。このプラグ１８の回転によって、プラグ１８の先端部に連結された止め金板１３が固定本体２側の受溝部５１から脱出する。そのため、ハンドル３は板バネ部材５２の付勢によって固定本体２のハンドル収容部５８から斜めに突出回転する。この突出回転したハンドル３を握って主軸部４１の周りに回すことによって、前記ロック板４８が固定枠体４４の受金部から離脱し、固定枠体４４に対する扉１の締付け施錠が解除される。
【００２２】
開放してあった扉１を閉鎖し、主軸部４１の周りにハンドル３を回して前記ロック板４８を固定枠体４４の受金部に再度係合させて、扉１を閉鎖位置に締付け施錠する。この後、横断枢軸４３の周りにハンドル３を回して固定本体２のハンドル収容部５７に押し込む。
ハンドル３を倒伏位置に保持しながら、プラグ１８元の位置に逆回転させると、タンブラ用バネ１６の付勢によって２列のサイドバー２４が遠心方向に移動し、各サイドバー２４の山形錠止部２９が錠収容部５の錠止溝２４に突入したとき、基端プレート部２５がロックピン３０のコード用溝３３から脱出する。
【００２３】
このようにサイドバー２４の基端プレート部２５がコード用溝３３から脱出した状態においてキー２８をプラグ１８のキー挿入孔２０から抜き取ると、各ロックピン３０はコード用凹部３２の深さに応じて進退した後、先端部がキー挿入孔２０内に突出する。
この段階では、サイドバー２４の基端プレート部２５がロックピン３０の側面に対面しているため、サイドバー２４の求心方向への移動は不可能であり、プラグ１８は２個のサイドバー２４によってハンドル３に対して回転不能に拘束される。プラグ１８が当初位置に逆回転することによって、止め金板１３が固定枠体側の受溝部５１と再び係合し、ハンドル３は当該倒伏位置に錠止される。
【００２４】
ロックピン３０の配列本数が同じである場合、キーコードの変更は、キー２８のコード用凹部３２の深さに応じてロックピン３０のコード用溝３３の高さ位置を変更することによって行なわれる。
２列のピン収容孔２１はシリンダー錠装置１７の直径を減じるためにオフセット状に配列されている。サイドバー２４のアンダーカット部２６は全長にわたって形成されている。キー２８の両側面にコード用凹部３２を形成することによってリバーシブル型のキーとすることもできる。
【００２５】
図１０の（ｂ）、（ｃ）に示したようにプラグ１８の先端面の偏心突起５６，５７は、プラグ１８の中心軸線からの偏心距離と位置を変更することができる。また、偏心突起５５の代わりに図１０の（ａ）に示したようにプラグ１８の先端面中央に断面小判型のシャフト部５９を突設し、止め金板に同形の連結孔を形成して、該連結孔にシャフト部５９を嵌合して螺子孔６０に連結ビスを捻じ込むようにすることもできる。
【００２６】
図示の実施例では、プラグ１８にはキー挿入孔２０を閉塞するシャッター６４が装備されている。シャッター６４はプラグ１８の頭部に嵌合固定したキャップ６３内に配置され、キー挿入孔２０の正面開口部に向けて、圧縮コイルバネよりなるシャッター用バネ６５によって移動付勢されている。ハンドル３の錠収容部５の内周面には、前記錠止溝１２からずらせた位置に回転角度規制用突起６６を形成してあり、プラグ１８にはこれと接離する回転角度規制用突起６７，６８を形成してある。
扉用ロックハンドル装置の基本構成は上記のものに限定されず、本発明の交換用サイダー式シリンダー錠は各種の施錠機構に組込み使用される。
【図面の簡単な説明】
【００２７】
【図１】ディスクタンブラ式シリンダー錠を装着した扉用ロックハンドル装置の正面図である。
【図２】図１のＡ−Ａ線断面図であり、ハンドルは倒伏位置にある。
【図３】本発明の一実施例における扉用ロックハンドル装置の要部とディスクタンブラ式シリンダー錠およびサイドバー式シリンダー錠の斜視図である。
【図４】図３のサイドバー式シリンダー錠の右側面図である。
【図５】図３の扉用ロックハンドル装置におけるハンドルの要部正面図である。
【図６】図５のＣ−Ｃ線断面図である。
【図７】図５のハンドルに装着されるディスクタンブラ式シリンダー錠とサイドバー式シリンダー錠の作動過程を示す説明図である。
【図８】図４のＤ−Ｄ線断面図である。
【図９】図４のＥ−Ｅ線断面図である。
【図１０】サイドバー式シリンダー錠に使用されるプラグの異なる態様を示す背面図である。
【符号の説明】
【００２８】
１    扉
２    固定本体
３    ハンドル
４    ロック機構
５    錠収容部
６    ディスクタンブラ式シリンダー錠
７    ディスクタンブラ式シリンダー錠のロータ
８    鍵挿入孔
９    タンブラ収容孔
１０  ディスクタンブラ
１１  ディスクタンブラの係止端部
１２  錠止溝
１３  止め金板
１４  鍵
１５  鍵山部
１６  タンブラ用バネ
１７  サイドバー式シリンダー錠
１８  サイドバー式シリンダー錠のプラグ
１９  サイドバー収容孔
２０  キー挿入孔
２１  ピン収容孔
２２  サイドバー収容孔の底壁部
２３  スリット
２４  サイドバー
２５  サイドバーの基端プレート部
２６  サイドバーのアンダーカット部
２７  サイドバー用バネ
２８  キー
２９  サイドバーの山形錠止部
３０  ロックピン
３１  ロックピン用バネ
３２  キーのコード用凹部
３３  ロックピンのコード用溝
３４  取付孔
３５  前面鍔部
３６  座金板
３７  透孔
３８  ビス
３９  固着孔
４０  軸受筒部
４１  主軸部
４２  背面空所
４３  横断枢軸
４４  固定枠体
４５  抜止め用爪板
４６  抜止め溝
４７  偏心突起
４８  ロック板
４９  ガイド孔
５０  受動孔
５１  受溝部
５２  ハンドル用板バネ部材
５３  鍵挿通孔
５４  抜止め爪板
５５  偏心突起
５６  偏心突起
５７  偏心突起
５８  ハンドル収容部
５９  シャフト部
６０  螺子孔
６１  加締め部
６２  バネ押え板
６３  キャップ
６４  シャッター
６５  シャッター用バネ
【図１】
2006132107.tif 000003
【図２】
2006132107.tif 000004
【図３】
2006132107.tif 000005
【図４】
2006132107.tif 000006
【図５】
2006132107.tif 000007
【図６】
2006132107.tif 000008
【図７】
2006132107.tif 000009
【図８】
2006132107.tif 000010
【図９】
2006132107.tif 000011
【図１０】
2006132107.tif 000012